(57)【特許請求の範囲】
【請求項１】
自動車両（１１）の運転を支援するための装置であって、前記車両（１１）の前方の道路シーンと前記車両のドライバーとの間に配置されるようになっている可変透過率スクリーンを備え、前記装置は、前記車両（１１）が置かれている環境を表わすデータをもたらすのに適したいくつかのセンサを備え、前記装置は、前記可変透過率スクリーンの透過係数を与えるように構成される、装置において、前記装置は、前記センサによりもたらされるデータを考慮に入れて、前記データを組み合わせることにより透過係数を計算するように構成され、
前記センサのうちの第１のセンサは、前記車両（１１）の軸線で輝度を測定するように構成されるセンサであり、前記センサのうちの第２のセンサは、別の方向で輝度を測定するように構成されるセンサであり、前記装置は、ドライバーの頭部の方向を考慮に入れて、前記第１及び第２のセンサにより記録されるデータに応じて並びに前記頭部の方向に応じて前記計算を行なうように構成され、
前記可変透過率スクリーンがメガネ（１０）を備え、前記第２のセンサが前記メガネ（１０）上に位置されることを特徴とする支援装置。
【請求項２】
前記センサは、以下のタイプのデータ、すなわち、
−大気状態
−道路環境
−ドライバーの環境
のうちの１つ以上から環境を表わすデータをもたらすのに適していることを特徴とする請求項１に記載の支援装置。
【請求項３】
前記装置は、前記車両（１１）及び／又はドライバーが置かれている状況をもたらされたデータの全部又は一部から決定するのに適していることを特徴とする請求項１又は請求項２に記載の支援装置。
【請求項４】
前記装置は、以下のデータ、すなわち、
−大気状態
−道路環境
−ドライバーの環境
からもたらされるデータから前記状況を決定するのに適していることを特徴とする請求項３に記載の支援装置。
【請求項５】
前記装置は、前記車両（１１）の前記状況に応じて前記もたらされたデータの全部又は一部に対して重みを割り当てるとともに、透過係数の計算の際に前記データをそれらの対応する重みによって重み付けるように構成されることを特徴とする請求項３又は請求項４に記載の支援装置。
【請求項６】
パルス照明を備え、前記装置は、透過係数と同期する第１のモードで、及び、前記係数とは無関係に第２のモードで、前記パルス照明を駆動させるように構成されることを特徴とする請求項１から５のいずれか一項に記載の支援装置。
【請求項７】
自動車両（１１）の運転を支援するための方法であって、前記車両（１１）には、前記車両（１１）の前方の道路シーンと前記車両のドライバーとの間に配置されるようになっている可変透過率スクリーンが備えられ、前記方法は、前記車両（１１）が置かれている環境を表わすデータをもたらすステップ（２７）と、前記可変透過率スクリーンの透過係数を与えるステップ（２８）とを備える、方法において、前記方法は、前記もたらすステップでもたらされるデータを考慮に入れるステップ（２９）と、前記データの組み合わせにより透過係数を計算するステップ（３０）と、を備え、
前記方法は、第１のセンサにより前記車両（１１）の軸線で及び第２のセンサにより別の方向で輝度データをもたらすステップと、ドライバーの頭部の方向を検出するステップとを備え、前記方法において、前記計算するステップは、前記頭部の前記方向に応じて前記輝度データを考慮に入れることによって行なわれるものであり、
前記可変透過率スクリーンがメガネ（１０）を備え、前記第２のセンサが前記メガネ（１０）上に位置されることを特徴とする支援方法。
【請求項８】
前記環境を表わすデータは、以下のタイプのデータ、すなわち、
−大気状態
−道路環境
−ドライバーの環境
のうちの１つ以上から選択されることを特徴とする請求項７に記載の支援方法。
【請求項９】
前記方法は、前記もたらされたデータから前記車両（１１）が置かれている状況を決定するステップを備える請求項７又は請求項８に記載の支援方法。
【請求項１０】
前記状況を決定する前記ステップは、以下のデータ、すなわち、
−大気状態
−道路環境
−ドライバーの環境
からもたらされるデータに基づいて行なわれることを特徴とする請求項９に記載の支援方法。
【請求項１１】
前記方法は、前記車両（１１）の前記状況に応じて前記もたらされたデータの全部又は一部に対して重みを割り当てるステップを備え、前記方法は、透過係数の計算のために前記データをそれらの対応する重みによって重み付けるステップを備えることを特徴とする請求項９又は請求項１０に記載の支援方法。
【請求項１２】
前記方法は、透過係数を与えるのと同期して前記車両（１１）のパルス照明を駆動させる第１のステップと、後者の透過係数の付与とは無関係に前記照明を駆動させる第２のステップとを備えることを特徴とする請求項７から１１のいずれか一項に記載の支援方法。
【発明の詳細な説明】
【技術分野】
【０００１】
本発明は、自動車両の運転を支援する装置及び方法に関する。
【背景技術】
【０００２】
本発明は、特に外側の輝度又は外側の輝度の変化がドライバーの運転に支障を来す場合があるときに自動車両の運転の支援を行なうようになっている方法及び装置に関する。
【０００３】
車両が動いている間、車両のドライバーは、事故を引き起こす虞がある任意の危険について警告されるように車両の外側を永続的に見続けなければならない。このとき、ドライバーの視力は、太陽に起因する眩しさからであろうと、対向車両又は後続車両のライトに起因する眩しさからであろうと、或いは更には、トンネルに入る或いはトンネルから出るときのような輝度の急激な変化によるものであろうと、外側の輝度によって定期的に乱される。
【０００４】
ドライバーの快適さ及び安全性を向上させるために、いくつかの解決策が提案されてきた。それらの解決策のうちの１つは、例えばドライバーにより着用されるメガネの形態を成す可変透過率スクリーンを使用することにあり、この可変透過率スクリーンの透明度は、前記スクリーンに適用される透過係数に応じて変化する。この係数の計算は、例えば、車両に位置される単一のセンサによる輝度の測定によって行なわれる。したがって、透過係数は、可変透過率スクリーンの透明度を設定するべく前記センサにより検出される周囲環境の輝度に適合される。
【０００５】
それにもかかわらず、この解決策は、車両が直面し得るに十分な状況であって特定の処理を必要とする状況に透過係数を適合させることができるようにしない。例えば、強力な光源がドライバーを幻惑させるときに、可変透過率スクリーンは、その透明度を低下させ、したがって、眩しくならないようにドライバーの視力を低下させる。それにもかかわらず、この場合、ドライバーが更に暗い道路の別の領域を見れば、可変透過率スクリーンの透明度の低下は、ドライバーが見えない或いは辛うじて見える場合がある歩行者又は信号機がこの領域に位置されているかもしれない場合であっても、この暗い領域におけるドライバーの視界を低下させる。そのような状況により表わされる危険は容易に理解される。
【発明の概要】
【発明が解決しようとする課題】
【０００６】
本発明は、既知の運転支援装置及び方法の欠点の少なくとも一部を軽減することを目的とする。
【課題を解決するための手段】
【０００７】
このため、本発明は、自動車両の運転を支援するための装置であって、車両の前方の道路シーンと車両のドライバーとの間に配置されるようになっている可変透過率スクリーンを備え、前記装置が、車両が置かれている環境を表わすデータを回復するのに適したいくつかのセンサを備え、前記装置が、可変透過率スクリーンの透過係数を与えるように構成される、装置において、装置が、センサにより回復されるデータを考慮に入れて、前記データを組み合わせることにより透過係数を計算するように構成されることを特徴とする支援装置に関する。
【０００８】
したがって、本発明に係る装置は、複数のデータに依存できるようにして、これらのデータの組み合わせにより透過係数の調整を可能にするとともに、単一のデータのみを考慮するようなことはしない。したがって、可変透過率スクリーンは、様々なセンサからの様々なデータにより表わされる状況に適合する透明度を有する。例えば、対向車からもたらされる強い輝度を１つのセンサが検出するが、ドライバーの凝視が別のポイントの方へ向けられることを別のセンサが検出する場合には、可変透過率スクリーンの透明度を低下させる必要はない。これは、交差点内の他の車両、信号機、道路を横切る歩行者などの危険が位置されるかもしれない領域へとドライバーの凝視が向けられる場合であっても、可変透過率スクリーンの透明度のこの低下がなおさらドライバーの視力の低下を引き起こし得るからである。
【０００９】
好適には、また、本発明によれば、センサは、以下のタイプのデータのうちの１つ以上から環境を表わすデータを回復するのに適している。
【００１０】
−大気状態、例えば、
雨、風、雪、霧など．．．．
時刻
など
−道路環境、例えば、
地面の状態
別の車両からの或いは所定の光源からの眩しさ
道路の性質（カーブ、トンネル、ハイウェイ等）
ジオロケーション
車両の速度
など
−ドライバーの環境、例えば、
ドライバーの頭部の方向
ドライバーの凝視方向
など
このリストは限定的でもなく包括的でもなく、多くの他のデータを使用できる。
【００１１】
本発明のこの態様によれば、これらのタイプのデータのうちの１つ以上を使用して、可変透過率スクリーンに適用されるべき最適な透過係数を最良に計算する。
【００１２】
好適には、また、本発明によれば、装置は、回復されたデータの全部又は一部から車両及び／又はドライバーが置かれている状況を決定するのに適している。
【００１３】
本発明のこの態様によれば、前記状況は、透過係数の計算のために考慮に入れることが重要である状況のいくつかの所定のタイプから選択される。例えば、状況は、車両が置かれている状況を表わす以下の代わりのもの、すなわち、日中又は夜間、晴れ、曇り、又は、雨の天候での運転、都市又は地方での運転、トンネルへの通過であるか否か等のうちの１つ以上を組み合わせる。状況は、例えば、以下の組み合わせ、すなわち、日中の曇りの天候での都市の運転となり得る。また、状況は、これらの簡単な組み合わせの中間の状態又はある程度のバリエーション、例えば小雨／大雨、夜明け／夕暮れ等を特徴付けることもできる。
【００１４】
好適には、また、本発明によれば、装置は、以下のデータから回復されるデータから前記状況を決定するのに適している。
【００１５】
−大気状態
−道路環境
−ドライバーの環境
このリストは限定的でもなく包括的でもなく、多くの他のデータも使用できる。
【００１６】
本発明のこの態様によれば、装置は、車両が置かれている状況を決定するためにこれらの情報項目のうちの１つ以上を使用する。例えば、また、先の段落の例と関連して、都市における曇りの天候での日中の運転は、都市の運転に関するジオロケーションデータによって、日中の運転に関する時間帯データによって、及び、曇りの天候に関する天候状態データによって決定される。したがって、これらの全てのデータは、状況を決定できるようにする。
【００１７】
好適には、また、本発明によれば、装置は、車両の前記状況に応じて回復されたデータの全部又は一部に対して重みを割り当てるとともに、透過係数の計算の際に前記データをそれらの対応する重みによって重み付けるように構成される。
【００１８】
本発明のこの態様によれば、車両の決定された状況に応じて回復されたデータに対して重みを割り当てると、データの重みを考慮に入れて透過係数を計算することができ、したがって、決定された状況に適した最良の透過係数を計算できる。実際に、決定された状況に応じて、一部のデータは、透過係数の計算において、より大きな重要性を有する。
【００１９】
好適には、また、本発明によれば、前記センサのうちの第１のセンサは、車両の軸線で輝度を測定するように構成されるセンサであり、前記センサのうちの第２のセンサは、別の方向で輝度を測定するように構成されるセンサであり、前記装置は、ドライバーの頭部の方向を考慮に入れて、第１及び第２のセンサにより記録されるデータに応じて並びに頭部の前記方向に応じて前記計算を行なうように構成される。
【００２０】
本発明のこの態様によれば、装置は、そのセンサのうちで、少なくとも２つの輝度センサを備え、１つのセンサは、例えば対向車の照明によって引き起こされる眩しさを検出するために車両の軸で輝度を測定するように構成される。装置は、ドライバーの凝視方向を考慮に入れ、それに応じて２つのセンサにより記録される輝度データを重み付ける。すなわち、例えば、ドライバーが車両の軸線に対応する方向を見ている場合には、可変透過率スクリーンの透過係数の計算において、この軸線に向けられるセンサからのデータは、第２のセンサからもたらされるデータよりも支配的である。他方、ドライバーが第２のセンサの方向を主に見ている場合には、可変透過率スクリーンの透過係数の計算において、第２のセンサからのデータが支配的である。これらの２つの方向間で、装置は、ドライバーの凝視方向にしたがって、中間の重みをデータに対して割り当てることができる。
【００２１】
好適には、また、本発明によれば、可変透過率スクリーンがメガネを備え、前記第２のセンサが前記メガネ上に位置される。
【００２２】
本発明のこの態様によれば、第２のセンサは、ドライバーの眼に可能な限り接近して位置され、したがって、ドライバーに達する輝度に関する正確な情報を与える。したがって、例えば、ドライバーが車両の軸線以外の方向を見る場合には、透過係数の計算において第２のセンサからのデータが支配的である。すなわち、これらのデータは、ドライバーの視界に可能な限り接近して受けられるデータであり、したがって、例えば道路を横切る歩行者の存在、信号機、或いは、交差点からくる車両をチェックするために
ドライバーが側方に目を向ける場合に、ドライバーが例えば、はっきりとした視界を保つことができるようにする。
【００２３】
好適には、また、本発明によれば、装置がパルス照明を備え、前記装置は、透過係数と同期する第１のモードで、及び、前記係数とは無関係に第２のモードで、前記パルス照明を駆動させるように構成される。
【００２４】
また、本発明は、自動車両の運転を支援するための方法であって、前記車両には、車両の前方の道路シーンと車両のドライバーとの間に配置されるようになっている可変透過率スクリーンが備えられ、前記方法が、車両が置かれている環境を表わすデータを回復するステップと、可変透過率スクリーンの透過係数を与えるステップとを備える、方法において、前記方法が、回復ステップで回復されるデータを考慮に入れるステップと、前記データの組み合わせにより透過係数を計算するステップとを備えることを特徴とする支援方法に関する。
【００２５】
したがって、本発明に係る方向は、いくつかのタイプのデータに依存できるようにして、これらのデータの組み合わせにより透過係数を調整できるようにするとともに、単一の回復データのみを考慮するようなことはしない。
【００２６】
好適には、また、本発明によれば、環境を表わす前記データは、以下のタイプのデータのうちの１つ以上から選択される。
【００２７】
−大気状態、例えば、
雨、風、雪、霧など．．．．
時刻
など
−道路環境、例えば、
地面の状態
別の車両からの或いは所定の光源からの眩しさ
道路の性質（カーブ、トンネル、ハイウェイ等）
ジオロケーション
車両の速度
など
−ドライバーの環境、例えば、
ドライバーの頭部の方向
ドライバーの凝視方向
など
このリストは限定的でもなく包括的でもなく、多くの他のデータを使用できる。
【００２８】
好適には、また、本発明によれば、方法は、回復されたデータから車両が置かれている状況を決定するステップを備える。
【００２９】
好適には、また、本発明によれば、前記状況を決定する前記ステップは、以下のデータから回復されるデータに基づいて行なわれる。
【００３０】
−大気状態
−道路環境
−ドライバーの環境
このリストは限定的でもなく包括的でもなく、多くの他のデータを使用できる。
【００３１】
好適には、また、本発明によれば、方法は、車両の前記状況に応じて回復されたデータの全部又は一部に対して重みを割り当てるステップを備え、また、方法は、透過係数の計算のためにデータをそれらの対応する重みによって重み付けるステップを備える。
【００３２】
好適には、また、本発明によれば、方法は、車両の軸線で及び別の方向で輝度データを回復するステップと、ドライバーの頭部の方向を検出するステップとを備える。また、前記計算ステップは、頭部の前記方向に応じて前記輝度データを考慮に入れることによって行なわれる。
【００３３】
好適には、また、本発明によれば、方法は、透過係数を与えるのと同期して車両のパルス照明を駆動させる第１のステップと、後の透過係数の付与とは無関係に前記照明を駆動させる第２のステップとを備える。
【００３４】
本発明の他の目的、特徴、及び、利点は、単に非限定的な態様で与えられて添付の図を参照する以下の説明を読むと明らかになる。
【図面の簡単な説明】
【００３５】
【図１】車両のフロント及び本発明に係る支援装置の概略図である。
【図２】本発明に係る支援装置の概略図である。
【図３】本発明に係る支援方法の概略図である。
【図４】車両のドライバーが車両の前方に目を向ける状況の概略図である。
【図５】車両のドライバーが車両の側方に目を向ける状況の概略図である。
【図６】車両のドライバーが異なる角度にしたがって車両の側方に目を向ける状況の概略図である。
【図７】本発明の一実施形態に係る支援装置の概略図である。
【発明を実施するための形態】
【００３６】
本発明は、車両の運転を支援するための装置及び方法に関し、その目的のうちの１つは、可変透過率スクリーンの透過係数を計算することである。可変透過率スクリーンは、車両のドライバーと道路シーンとの間で、車両のドライバーの視野内に配置される。
【００３７】
本発明の異なる実施形態によれば、可変透過率スクリーンは、
−例えばサンシールドの態様で折り畳まれ得る、ドライバーとフロントガラスとの間に配置される実際のスクリーン、
−フロントガラス自体、又は、
−サングラス又は矯正メガネのようなドライバーによって着用されるメガネ、
から成ることができる。
【００３８】
可変透過率スクリーンの透明度のレベルは、支援装置によって与えられる可変透過率スクリーンリーンの透過係数によって規定され、この透過係数は、スクリーンの最大透明度に対応する最大値と、スクリーンの最小透明度に対応する最小値との間で変化する。したがって、透過係数の変更は、可変透過率スクリーンの透明度の変更をもたらし、それにより、ドライバーが知覚輝度の変更の利益を享受できるようにする。
【００３９】
その結果、記載される実施形態は、保護範囲をそのような実施形態に何ら減少させることなく、可変透過率スクリーンとしてメガネ１０を使用する。
【００４０】
図１は、メガネ１０の透過係数の計算に必要な情報を回復するようになっているセンサを備える車両１１のフロントを概略的に表わす。複数のセンサが異なる方向１２，１３，１４からもたらされる輝度データを考慮に入れることができるようにし、それにより、透過係数の更に適切な計算を可能にするのが分かる。したがって、図１を参照すると、フロントガラスの上端と同じ高さ、好ましくは前記フロントガラスの内側のバックミラーの取り付け部と同じ高さに位置される輝度、雨、及び、トンネルセンサ１５が、いくつかの方向１２，１３，１４から、例えば表示されるように、車両１１の軸線からフロントへ向けて、及び、車両１１の上側からもたらされる光を拾い上げる。メガネ１０に位置される第２のセンサは、凝視方向で或いは少なくともドライバーの頭部で光を拾い上げることができるようにする。
【００４１】
図２は、本発明に係る装置を概略的に表わす。前記装置は、多くのセンサ、ここでは以下のセンサを備える。
【００４２】
−メガネ１０に位置されて、ドライバーの凝視方向の輝度データを回復するフォトダイオード１６；
−いくつかの方向１２，１３（例えば、車両の上側の方向１２、及び、車両と対向する方向１３）からもたらされる輝度データ及び天候状態データを回復する、輝度、雨、及び、温度センサ１５（ＲＬＴ、Ｒａｉｎ  Ｌｉｇｈｔ  Ｔｕｎｎｅｌセンサとも称される）；
−輝度データをいくつかの方向で回復できるようにするカメラ１７；
−例えば車両１１が都市にあるか、地方にあるか、トンネル内にあるかどうか等を決定するために、ジオロケーションデータ１９を回復するとともに、そのデータをマッピングデータ２０と関連付けることができるようにするナビゲーションシステム１８、例えばＧＰＳ；
−運転が日中に行なわれているか或いは夜間に行なわれているかどうかを決定するために、好ましくは、例えばＧＰＳを使用することによって基準時間に時間サーバと同期される、時間帯域データ回復システム２１；
−車両１１が走行している地域の天候状態（例えば、晴れ、曇り、雨など）を決定するために、例えばインターネット２３に接続される天候データ回復システム２２；
−例えば加速度計及び／又はジャイロスコープを備える、ドライバーの頭部の方向を検出するためのシステム２４；
−従来のように殆どの車両に組み込まれる、車両の速度を測定するためのシステム２５。
【００４３】
言い換えると、最初の３つのセンサ１５，１６，１７は、いくつかの方向からもたらされる輝度３１を拾い上げる。
【００４４】
本発明に係る装置を備える車両１１は、好適には、これらのセンサの一部、好ましくは全部、場合によりここに挙げられない他のセンサを備える。
【００４５】
これらの回復されたデータは、その後、例えばマイクロコントローラ２６で処理され、このマイクロコントローラ２６も、ここでは、メガネ１０の透過係数の決定を制御する。処理はいくつかの目的を有する。すなわち、第１の目的は、回復されたデータから車両１１が置かれている状況を決定することであり、第２の目的は、好ましくは回復されたデータを決定された状況にしたがって重み付けることにより、回復されたデータを組み合わせて透過係数を計算することである。本発明の１つの実施形態では、マイクロコントローラ２６がメガネ１０に位置され、また、他のセンサにより記録されるデータが無線リンクにより送信される。
【００４６】
車両１１が置かれている状況の決定は、外側の輝度のタイプ及び有意性に影響を与える外的要素にしたがって透過係数の計算を適合させることができるようにする。例えば、通り過ぎる車両の照明からもたらされる同じ輝度は、それが日中に起こるか或いは夜間に起こるかどうかにしたがって、ドライバーに対して同じ影響を引き起こさない。したがって、装置は、日中運転、夜間運転又は太陽が昇っている或いは沈んでいるときの運転、都市での、地方での、又は、トンネル内での運転、晴れ、曇り、又は、雨の天候、エンジンがかかっているか否か、ドライバーが車にいるか否かなどの運転のタイプを表わす外的要素の組み合わせにしたがって、車両１１が置かれている状況を決定する。決定され得る状況は、回復されるデータに依存し、したがって、車両１１に存在する様々なセンサに依存する。
【００４７】
状況に関与し得る別の重要な情報項目は、ドライバーの頭部の方向である。可変透過率スクリーンがメガネ１０である実施形態によれば、輝度センサ１６は、好適には、ドライバーの眼に可能な限り接近してドライバーの凝視方向で輝度データを回復するために、図１で与えられるようにこれらのメガネ１０に配置される。したがって、ドライバーが自分の頭部を車両１１の軸線における方向以外の方向に向ける場合には、ドライバーのメガネ１０に位置されるセンサ１６に対して有意性が与えられる。この目的は、車両１１の軸線で強い輝度が検出されるが、弱く照らされる領域の方向をドライバーが見ている場合にドライバーの視界を低下させないことであり、その場合には、車両１１の軸線における強い輝度が障害にならない。
【００４８】
車両１１の状況が決定された時点で、支援装置は、前のステップで決定された状況にしたがって、回復されたデータに対して重みを割り当てる。このように割り当てられる重みは、透過係数の計算を行なうためにデータを重み付けることができるようにする。そのため、状況にしたがって、計算のために使用されるそれぞれのデータに対して異なる有意性を割り当てることができる。
【００４９】
例えば、ドライバーが後進を行なうために車両１１の後方に目を向けている場合、車両１１のフロントに位置される輝度センサ、例えば輝度、雨、及び、温度センサ１５又はカメラ１７からもたらされるデータは、殆ど対象にはならない。このとき、装置は、車両１１の後方に位置されるセンサ、例えば後進カメラ、及び／又は、メガネ１０に存在するセンサ１６からもたらされるデータを主に考慮に入れる。
【００５０】
別の例において、車両１１がトンネルに入ると、メガネ１０に位置されるセンサ１６は、車両１１の外側の輝度を推定するためにもはや十分ではない。このとき、より大きな重みが、車両１１のフロントガラス上に位置される輝度、雨、及び、トンネルセンサ１５に対して或いはカメラ１７に対して与えられる。
【００５１】
最後に、ドライバーが車両１１の外側にいる場合又はエンジンが停止されている場合、支配的なセンサは、メガネ１０に位置されるセンサ１６である。マイクロコントローラ２６がメガネ１０に位置される実施形態では、このとき、マイクロコントローラ２６は、メガネ１０に位置されるセンサからもたらされる情報のみを受ける。したがって、その情報から、ドライバーが車両１１の外側にいることを推測する。
【００５２】
本発明に係る支援装置の動作及び本発明に係る支援方法が図３に詳しく示される。既に説明された異なるセンサ１５，１６，１７，１８，２１，２２，２４，２５からのデータは、車両１１が置かれている環境を表わすデータを回復するステップ２７において回復される。図示の最後のステップは、可変透過率スクリーンの透過係数を与えるステップ２８である。これらの２つのステップの間には、回復ステップで回復されるデータを考慮に入れるステップ２８と、前記データの組み合わせによって透過係数を計算するステップ３０とが存在する。
【００５３】
回復ステップは、マイクロコントローラ２６に関しては、好ましくはマイクロコントローラ２６がメガネ１０に位置されるときにはワイヤレス接続を介して、異なるセンサによりマイクロコントローラへ送信されるデータを回復することにある。データが回復された時点で、考慮に入れるステップは、車両１１が置かれている状況を決定するステップ（図示せず）を備える。状況を決定する前記ステップは、異なるセンサからの異なるデータにより与えられる知識の推定に基づくことができる。例えば、ＲＬＴセンサ１５によって拾い上げられる強い輝度が車両の上側からもたらされる場合、マイクロコントローラ１６は、天候状態が強い太陽光であると仮定する。この仮定がインターネットで回復される天候状態により確認される場合、マイクロコントローラは、運転が日中の晴れた天候においてなされていると見なす。そうでない場合には、例えばカメラなどの他のセンサにより記録される輝度などの他のデータを考慮に入れる必要がある。
【００５４】
車両が置かれている状況が決定された時点で、透過係数を計算するステップ３０がそれに続く。このステップは、既に説明された決定ステップで決定される車両の状況に応じて回復されたデータの全部又は一部に対して重みを割り当てるステップ（図示せず）を備える。それぞれのデータに対して割り当てられる重みは、特に、輝度計算で推定されるその有意性に依存し得る。一般に、重みの割り当ては、保たれる組み合わせ方策に依存する。データの重み付け及びそれらの重み付けは、好適には、いわゆる信念の理論から導き出される異なる方法を使用できる。特に、デンプスター・シェファー方程式を使用するデンプスター・シェファー理論は、証拠となる結果を与える。
【００５５】
それぞれのデータに重みが割り当てられると、マイクロコントローラ２６は、先行するステップで決定される重み付けられたデータを考慮に入れることによって透過係数を計算する。この計算された透過係数は、その後、可変透過率スクリーンを駆動させるために使用される。
【００５６】
方法がどのように進行するのかについての一例が以下に詳述される。様々なセンサにより記録されるデータはマイクロコントローラ２６により回復される。これらのデータの一部は、車両１１の状況を決定できるようにする。例えば、ＧＰＳシステム１８は、マッピングデータ２０の閲覧により、車両１１が地方の道路に位置されていることを示し、また、ジオロケーションデータ１９のタイムスタンプによって、車両が置かれている時間帯では時間が２：００ＰＭであることを示す。天候データの閲覧は、天候が晴れであることを示し、また、雨センサは雨を何ら検出しない。したがって、状況は、これらの要素、すなわち、日中の運転、地方の道路での運転、晴れの天候での運転の組み合わせである。
【００５７】
マイクロコントローラ２６は、所定の設定にしたがって輝度センサからもたらされるデータを重み付ける。重みは、この例では、メガネ１０上のセンサ１６に関しては７０％であり、ＲＬＴセンサ１５からの（上からくる）垂直輝度に関しては８０％であり、ＲＬＴセンサ１５からの（前からくる）水平輝度に関しては８０％であり、及び、カメラ１７に関しては８０％である。
【００５８】
輝度データは、この例では、センサにより測定できる最小輝度とセンサにより測定できる最大輝度とをそれぞれ表わす０〜１００の値（パーセンテージとして表わすことができる）によって表わされる。センサは、例えば、メガネ１０のセンサ１６に関しては３０％、ＲＬＴセンサ１５に関しては垂直で７０％、ＲＬＴセンサ１５に関しては水平で５０％、カメラ１７に関しては５０％を記録する。先のように表わされる重みによってこれらの値を重み付けることにより、以下の値、すなわち、メガネ１０のセンサ１６に関しては２１％、ＲＬＴセンサ１５に関しては垂直で５６％、ＲＬＴセンサ１５に関しては水平で４０％、カメラ１７に関しては４０％が（パーセンテージの積によって）得られる。これらの値の平均は、測定される平均輝度強度に対応する３９％の値を与える。したがって、ドライバーの視界を向上させるために、メガネ１０の透過係数、したがって透明度を１００−３９＝６１％まで下げることによってこの輝度を下げることが必要である。したがって、マイクロコントローラ２６は、この例では、メガネ１０の透過係数を６１％のこの値に設定する。この例では、簡単な一次方程式ｙ＝１００−ｘによって輝度／透明度係数相関関係が意図的に簡略化される。ここで、ｙは透過係数であり、ｘは測定される平均輝度強度である。しかしながら、方程式は、特に異なる極値に関して、自動車両運転において想定され得ない完全に不透明な可変透過率スクリーンに対応する０％に透過係数を設定できないため、更に複雑となり得る。
【００５９】
１つの実施形態によれば、装置は、車両１１のフロント及び軸線に位置されるセンサ（例えばカメラ１７又はＲＬＴセンサ１５など）の視野及びメガネ１０に位置されるセンサ１６の視野にしたがって、また、ドライバーの頭部の方向にしたがって、可変透過率スクリーンの透明度を適合させることができるようにする。センサの視野は、水平視野と垂直視野とに分けられ得る。図４〜図７は、異なる状況に係るセンサの水平視野を表わす。水平視野に関連する特性、及び、これらの水平視野に応じた装置による可変透過率スクリーンの透明度の適合は、異なり得る角度値を伴って、図示されないセンサの垂直視野に同等に置き換えられ得る。
【００６０】
図４は、車両の軸線３４に沿うドライバーの頭部３２を概略的に表わす。車両のフロント及び軸線に位置されるセンサの第１の水平視野が第１の三角形３６により表わされ、また、メガネ上に位置されるセンサの第２の水平視野が第２の三角形３８により表わされる。第１の水平視野３６の角度Ａｌは例えば約５０°（又は車両の軸線の両側で±２５°）であり、また、第２の水平視野３８の角度Ａ２は例えば約１２０°（又は車両の軸線３４の両側で±６０°）である。理想的には、第２の水平視野３６は、人の眼、ここではドライバーの眼が幻惑させられる虞がある視野に対応する。
【００６１】
ドライバーの頭部３２の方向を検出するためのシステムは、ドライバーの頭部３２の方向、したがってメガネ上に位置されるセンサ１６の方向、つまり第２の水平視野３８を装置が知ることができるようにする。
【００６２】
図５に表わされるように、ドライバー２４が自分の頭部３２を回転させると、第２の水平視野３８は、車両の軸線３４に対して角度Ｏの分だけ移動される。装置は、頭部３２の方向の検出によってこの移動を検出する。
【００６３】
透明度のレベルは、ドライバーの視野で計算される眩しさのレベル（又は、使用されるセンサのタイプに応じて、輝度のレベル）に応じて決定される。車両のフロン及び軸線に位置されるセンサは、それが車両１１のフロントガラスによって或いは車両のドライバーにより着用されるヘッドギアによって遮られる危険がないため、その情報のロバスト性がメガネ上に位置されるセンサ１６よりも高いセンサである。したがって、図４に表わされる状況において、車両のフロント及び軸線に位置されるセンサは、第１の水平視野３６に対応する領域４０における透明度のレベルの計算で考慮に入れられる唯一のセンサである。それにもかかわらず、メガネ上に位置されるセンサ１６は、第１の水平視野３６よりも広い第２の水平視野３８を有する。したがって、第１の水平視野３６の一部を形成しない第２の水平視野３８の領域４２，４４に位置付けられる眩しさデータのみが考慮に入れられる。
【００６４】
図５に表わされる状況において、第２の水平視野３８は、重ね合わされないように２つの水平視野３６，３８にとって十分に大きい角度Ｏだけ移動される。このように、ドライバーが幻惑させられる虞がある視野を第２の水平視野３８が実質的に表わすため、メガネ上に位置されるセンサ１６は、透明度のレベルの計算で考慮に入れられる唯一のセンサである。実際に、メガネ上に位置されるセンサ１６は、Ｏ＞（Ａ１＋Ａ２）／２である場合に、すなわち、この例ではＯ＞（５０＋１２０）／２＝８５°の場合に考慮に入れられる唯一のセンサである。この状況は、車両１１に並んで到達しているかもしれない車両をチェックするとき或いは死角をチェックするために一般的である。
【００６５】
図６は、ドライバーが自分の頭部を約４５°に向ける状況を表わす。したがって、２つのセンサの視野３６，３８は、領域４６にわたって部分的に重ね合わされる。既に説明したように、この領域４６では、車両のフロント及び軸線に位置されるセンサからもたらされるデータのみが考慮に入れられる。第２の水平視野３８の領域４８では、メガネ上に位置されるセンサ１６からもたらされるデータが考慮に入れられる。本発明の１つの実施形態によれば、ドライバーの視野内における前記根源の位置にかかわらず眩しさの光源によってドライバーが幻惑させられるのを避けることができるようにするために、ドライバーの視野内でセンサにより測定される最上位の眩しさに応じて変化し得る透過係数の計算が行なわれる。
【００６６】
図７に表わされる本発明の１つの実施形態によれば、ドライバーの頭部３２の方向が急速に変化する場合の装置の性能レベルを向上させるために、更なるセンサを使用して、ドライバーの視野外の領域をカバーすることができ、それにより、ドライバーが自分の頭部３２をこれらの領域の方向に向ける場合にこれらの領域からもたらされる任意の眩しさを予想することができる。例えば、２つの更なる眩しさセンサが存在してもよく、それぞれの眩しさセンサは、メガネのアーム上に配置されて、ドライバーの頭部の左右に位置されるドライバーの視野外の領域５０，５２をカバーする。ドライバーが自分の頭部３２の方向を変えなければ、これらの更なるセンサはこれらの領域５０，５２内の眩しさを測定し、また、これらの測定値は、第１の水平視野３６及び第２の水平視野３８で測定される値にのみ依存する可変透過率スクリーンの透過係数の計算に関与しない。ドライバーが自分の頭部３２の方向をこれらの更なるセンサによりカバーされる領域５０，５２のうちの一方へと変えれば、装置は、頭部３２の回転前にこれらのセンサにより記録されるデータを考慮に入れて、可変透過率スクリーンの透過係数の計算を予想する。
【００６７】
本発明の１つの実施形態において、可変透過率スクリーンは、状況に同期して或いは状況に応じることなくパルス照明に結合され得る。
【図１】
0006441325.tif 000002
【図２】
0006441325.tif 000003
【図３】
0006441325.tif 000004
【図４】
0006441325.tif 000005
【図５】
0006441325.tif 000006
【図６】
0006441325.tif 000007
【図７】
0006441325.tif 000008